【手続補正書】
【提出日】平成21年4月8日(2009.4.8)
【手続補正１】
【補正対象書類名】特許請求の範囲
【補正対象項目名】全文
【補正方法】変更
【補正の内容】
【特許請求の範囲】
【請求項１】
キャピラリー式イオンクロマトグラフィー用の装置であって、
（ａ）充填剤入口および充填剤出口含んだハウジング内のフロースルー型イオン交換充填剤と、入口および出口を有し且つ選択透過性のイオン交換膜で形成されたキャピラリー配管とを備え、前記キャピラリー配管が少なくとも部分的に前記イオン交換充填剤の中に配置されるサプレッサ；
（ｂ）前記イオン交換充填剤の両側の間隔を隔てた第１及び第２の電極、
を備えていることを特徴とする、装置。
【請求項２】
更に、（ｃ）前記充填剤入口と流体流通して流れる水性再生液源、を有する請求項１に記載の装置。
【請求項３】
更に、（ｄ）前記キャピラリー配管入口と流体流通した、キャピラリークロマトグラフィーカラムを有する請求項２に記載の装置。
【請求項４】
更に、（ｅ）前記キャピラリー配管の出口と流体流通したフロースルー型検出器を有する請求項３に記載の装置。
【請求項５】
更に、（ｆ）前記検出器からリサイクルされた水性液体を前記イオン交換充填剤へと向わせるためのリサイクル導管を有し、前記水性再生液源が前記リサイクルされた水性液体を含む請求項４に記載の装置。
【請求項６】
前記水性再生液源が更に、前記リサイクルされた水性液体に加えて、水生液体を流す追加の供給源を有する請求項５に記載の装置。
【請求項７】
前記キャピラリー配管の少なくとも一部が、前記充填剤と直接接触している請求項１に記載の装置。
【請求項８】
前記充填剤が、イオン交換粒子の充填されたベッドを含む請求項１に記載の装置。
【請求項９】
前記イオン交換充填剤が、弱酸性または弱塩基性の官能基を含んだ交換可能なイオンを備えた基体を含む請求項１に記載の装置。
【請求項１０】
前記イオン交換充填剤が更に、強酸性または強塩基性官能基を含んた交換可能なイオンを備えた基体を含む請求項９に記載の装置。
【請求項１１】
前記キャピラリー配管の外壁が、弱酸性または弱塩基性の官能基を備えた交換可能なイオンを含む請求項１に記載の装置。
【請求項１２】
前記キャピラリー配管の内壁が、強酸性または強塩基性の官能基を備えた交換可能なイオンを含む請求項１１に記載の装置。
【請求項１３】
前記弱酸性または弱塩基性の官能基が、前記配管の外壁にグラフト化されたポリマー上の部分を含む請求項１１に記載の装置。
【請求項１４】
前記充填剤の入口が、前記第一および第二の電極の中間に配置される請求項１に記載の装置。
【請求項１５】
前記第一の電極が、電極チャンバ内に配置される請求項１に記載の装置。
【請求項１６】
前記第二の電極が、電極チャンバ内に配置される請求項１５に記載の装置。
【請求項１７】
更に、（ｃ）前記第一の電極と前記充填剤の間の、選択透過性イオン交換バリアを有する請求項１５に記載の装置。
【請求項１８】
キャピラリー式イオンクロマトグラフィーのための装置であって、
（ａ）入口および出口を有し且つ選択透過性イオン交換膜で形成されたキャピラリー配管を備え、該配管は少なくとも部分的にフロースルー型ハウジング内に配置されるサプレッサと、
（ｂ）前記キャピラリー配管と流体流通したフロースルー型検出器と、
（ｃ）前記検出器からリサイクルされた水性サンプル液体を、前記フロースルーハウジングを通して前記配管の外側へと向わせるためのリサイクル導管と、
を有する装置。
【請求項１９】
更に、前記水性液体サンプルに加えて、前記ハウジングを通して流れる水生液体の追加の供給源を有する請求項１８に記載の装置。
【請求項２０】
前記キャピラリー配管の外壁が、弱酸性または弱塩基性の官能基を備えた交換可能なイオンを含む請求項１８に記載の装置。
【請求項２１】
前記キャピラリー配管の内壁が、強酸性または強塩基性の官能基を備えた交換可能なイオンを含む請求項１８に記載の装置。
【請求項２２】
前記弱酸性または弱塩基性の官能基が、前記配管の外壁にグラフト化されたポリマー上の部分を含む請求項１８に記載の装置。
【請求項２３】
更に、（ａ）前記キャピラリー配管の入口と流体流通したキャピラリークロマトグラフィーカラムを有する請求項１８に記載の装置。
【請求項２４】
キャピラリーイオンクロマトグラフィーのための装置であって、
（ａ）入口および出口を有し且つ選択透過性のイオン交換膜で形成されたキャピラリー配管を備えたサプレッサを有し、
前記配管は、少なくとも部分的にフロースルー型ハウジングの中に配置され、前記キャピラリー配管の外壁は、弱酸性または弱塩基性の官能基を備えた交換可能なイオンを含む装置。
【請求項２５】
前記キャピラリー配管の内壁が、強酸性または強塩基性の官能基を備えた交換可能なイオンを含む請求項２４に記載の装置。
【請求項２６】
前記弱酸性または弱塩基性の官能基が、前記配管の外壁にグラフト化されたポリマーの部分を含む請求項２４に記載の装置。
【請求項２７】
更に、（ｂ）前記配管の入口と流体流通したキャピラリークロマトグラフィーカラムを有する請求項２４に記載の装置。
【請求項２８】
更に、（ｃ）前記配管の出口と流体流通したフロースルー型検出器を有する請求項２７に記載の装置。
【請求項２９】
更に、（ｄ）前記検出器からリサイクルされた水性液体を、前記イオン交換充填剤へと向わせるためのリサイクル導管を有する請求項２８に記載の装置。
【請求項３０】
キャピラリーイオンクロマトグラフィーのための方法であって、
（ａ）正または負の一つの電荷の分離されたサンプルイオン種を溶離剤中に含む水性サンプル流を、選択透過性のイオン交換膜で形成されたキャピラリー配管を通して流し、該配管はフロースルー型イオン交換充填剤の中に埋められており、また前記サンプルイオン種に対して反対電荷の前記溶離剤中の対イオンを、前記配管を横切ってその内壁から外壁へと輸送する工程と、
（ｂ）再生剤水溶液を、前記イオン交換充填剤を通して前記配管の外側を通過するように流し、前記配管外壁へと輸送された輸送された対イオンを運び去る工程と、
（ｃ）工程（a）及び（ｂ）中前記イオン交換充填剤間に電位を供給する工程と、
を有する方法。
【請求項３１】
更に、（ｄ）工程（ａ）に先立って、キャピラリークロマトグラフィーカラムの中で前記イオン種をクロマトグラフィーにより分離する工程を有する請求項３０に記載の方法。
【請求項３２】
更に、（ｅ）前記液体サンプル流を検出器を通して流すことにより、前記分離されたイオン種を検出する工程を有する請求項３０に記載の方法。
【請求項３３】
更に、（ｆ）前記水性サンプル流を前記イオン交換充填剤へとリサイクルさせる工程を有し、前記再生液は前記リサイクルされたサンプル流を含む請求項３２に記載の方法。
【請求項３４】
更に、（ｇ）前記リサイクルされる液体流に加えて、前記第二の水性液体を、前記配管の外側と通過させて流す工程を有する請求項３３に記載の方法。
【請求項３５】
前記充填剤が、イオン交換粒子の充填されたベッドを含む請求項３０に記載の方法。
【請求項３６】
前記イオン交換充填剤が、弱酸性または弱塩基性の官能基を含んだ交換可能なイオンを備えた基体を含む請求項３０に記載の方法。
【請求項３７】
前記イオン交換充填剤が、更に、強酸性または強塩基性の官能基を含んだ交換可能なイオンを備えた基体を含む請求項３０に記載の方法。
【請求項３８】
前記キャピラリー配管の外壁が、弱酸性または弱塩基性の官能基を備えた交換可能なイオンを含む請求項３０に記載の方法。
【請求項３９】
前記キャピラリー配管の内壁が、強酸性または強塩基性の官能基を備えた交換可能なイオンを含む請求項３０に記載の方法。
【請求項４０】
キャピラリーイオンクロマトグラフィーのための方法であって、
（ａ）正または負の一つの電荷の分離されたサンプルイオン種を溶離剤中に含む水性サンプル流を、選択透過性のイオン交換膜で形成されたキャピラリー配管を通して流し、また前記サンプルイオン種に対して反対電荷の前記溶離剤中の対イオンを、前記配管を横切ってその内壁から外壁へと輸送する工程と、
（ｂ）前記液体サンプル流を検出器を通して流すことにより、前記キャピラリー配管を出て行く前記分離されたイオン種を検出する工程と、
（ｃ）前記水性サンプル流を前記検出器から前記配管外壁へとリサイクルさせて、そこに輸送された前記対イオンを運び去る工程と、
を有する方法。
【請求項４１】
更に、（ｄ）工程（ａ）に先立って、前記イオン種を、キャピラリークロマトグラフィーカラムの中でクロマトグラフィーにより分離する工程を有する請求項４０に記載の方法。
【請求項４２】
前記配管がフロースルー型イオン交換充填剤の中に埋められ、また前記サンプルイオン種に対して反対電荷の前記溶離剤中の対イオンが、前記配管を横切ってその内壁から外壁へと輸送される請求項４０に記載の方法。
【請求項４３】
前記充填剤が、イオン交換粒子の充填されたベッドを有する請求項４０に記載の方法。
【請求項４４】
前記イオン交換充填剤が、弱酸性または弱塩基性の官能基を含んだ交換可能なイオンを備えた基体を含む請求項４０に記載の方法。
【請求項４５】
前記イオン交換充填剤が更に、強酸性または強塩基性官能基を含んた交換可能なイオンを備えた基体を含む請求項４０に記載の方法。
【請求項４６】
前記キャピラリー配管の外壁が、弱酸性または弱塩基性の官能基を備えた交換可能なイオンを含む請求項４２に記載の方法。
【請求項４７】
更に、工程（ａ）および（ｂ）の際に、前記イオン交換充填剤を横切って電圧を印加することを含む請求項４２に記載の方法。